(57)【要約】【課題】パネルの操作ボタン部のエンボス外周部に段押し部を設けることにより操作性を向上させることができる炊飯器を提供すること。【解決手段】上面が開口した炊飯器本体３０と、炊飯器本体３０内に着脱自在に収納される鍋３１と、炊飯器本体３０内に設けられた鍋３１を加熱する加熱手段３２と、炊飯器本体３０を開閉自在に覆う蓋３５と、炊飯器本体３０もしく蓋３５の外郭は部分的に加飾を施した透明フィルム層と透明材料層を一体に形成したパネル３６を有し、パネル３６の操作ボタン３７のエンボス外周部３７ａに段押し部を設けることにより、操作性を向上する。【選択図】図２
2014023808.tif 000002
【特許請求の範囲】
【請求項１】
上面が開口した本体と、前記本体内に着脱自在に収納される鍋と、前記本体内に設けられた前記鍋を加熱する加熱手段と、前記本体を開閉自在に覆う蓋と、前記本体もしくは前記蓋の外郭は部分的に加飾を施した透明フィルム層と透明材料層を一体に形成したパネルを有し、前記パネルに設けられた操作ボタンのエンボス部の外周部に、前記パネル面より一段下がる段押し部を設けた炊飯器。
【請求項２】
操作ボタンのエンボス部にかまぼこ形状の側面を設け、前記エンボス部中央部をかまぼこ形状にした請求項１に記載の炊飯器。
【発明の詳細な説明】
【技術分野】
【０００１】
本発明は、一般家庭、あるいは業務用に使用する炊飯器に関するものである。
【背景技術】
【０００２】
従来、この種の炊飯器は、例えば、図５に示されるような構成であった。図５において、炊飯器本体１は有底筒状の鍋収納部１ａを有し、着脱自在に鍋２を収納する。鍋収納部１ａの底部に設けられた底誘導コイル３が鍋加熱手段となり、鍋２を誘導加熱し炊飯・保温を行う。４は底センサーで、鍋２の温度を検知し、制御部５へ信号を送る。制御部５は底センサー４の信号より底誘導コイル３の通電量を変化させ、鍋２の加熱量を可変することで鍋２の温度を炊飯・保温時に適温に制御する。本体上部は本体後部のヒンジ部６に設けたヒンジ軸７にて軸支された、開閉自在な蓋体８で覆われている。蓋体８の先端には蓋係合部１４が設けられており、本体前方のフックボタン１６と閉蓋時に係合し、炊飯または保温中に蓋が開くのを防止する。フックボタン１６を押すと、蓋係合部１４とフックボタン１６の係合が外れ、蓋体のヒンジ部６に設けられたヒンジバネ１７の力によって蓋が開く。蓋体８には、使用者が動作指示を入力する操作部１３が設けられている。蓋体８の外郭は表面に部分的に加飾を有し、透明な厚さ０．０５〜０．３ｍｍのポリエチレンテレフタレート樹脂等の透明フィルム層１５ａと、ＡＢＳ樹脂、ポリカーボネート樹脂、アクリル樹脂などからなり透明な透明材料層１５ｂを一体成形し、さらにその下層に有色材料層１５ｃを一体成形したパネル１５で覆われている。透明材料層１５ｂの厚さは、透明フィルム層１５ａに比べて十分に厚肉の１〜３ｍｍとなっている。
【０００３】
また、パネル１５は透明フィルム層１５ａと有色材料層１５ｃの２層で構成されたエンボス外周部１５ｆが構成されており、その内側に透明フィルム層１５ａのみで構成され、凸状となったエンボス部１５ｅが設けられている。エンボス部１５ｅは凹凸上に可動することで押しボタンスイッチとして機能し、エンボス部１５ｅと対向して取り付けられたキー１３ｂを介してスイッチ１３ａを操作可能にした構成を有している。
【先行技術文献】
【特許文献】
【０００４】
【特許文献１】特開２００５−８０６８４号公報
【発明の概要】
【発明が解決しようとする課題】
【０００５】
しかしながら、前記従来の炊飯器のパネル操作部のエンボス形状の構成では、（例えば、特許文献１参照）、エンボス外周部よりすぐに立ち上がり凸形状となっているため、エンボス部から操作部であるキ−トップまでの十分なキ−ストロ−クを確保することができずに、ボタン操作時に硬く感じるなど、操作性に問題があった。また、エンボス加工を行う金型構成においてエンボス形状のコ−ナ−部には大きなＲが必要であるという制限があり、エンボス外周形状を四角形状に加工することはできず、デザイン性においても丸い形状しかできないという課題を有していた。
【課題を解決するための手段】
【０００６】
前記従来の課題を解決するために、本発明の炊飯器は、上面が開口した本体と、前記本体内に着脱自在に収納される鍋と、前記本体内に設けられた前記鍋を加熱する加熱手段と、前記本体を開閉自在に覆う蓋と、前記本体もしくは前記蓋の外郭は部分的に加飾を施した透明フィルム層と透明材料層を一体に形成したパネルを有し、前記パネルに設けられた操作ボタンのエンボス部の外周部に、前記パネル面より一段下がる段押し部を設けたものである。パネル操作部のエンボス形状をエンボス外周部よりすぐに立ち上がり、パネルの基本面より凸形状にするのではなく、エンボス形状の外周部にパネル基本面より一段下がる段押し部を設けてから、エンボス中央部を凸形状にすることにより、キ−ストロ−クを十分に確保することができ、操作ボタンの操作性を向上することができる。
【発明の効果】
【０００７】
本発明の炊飯器によれば、透明フィルム層のみのエンボス部分のたわみ量が増すことで突っ張り感もなく、ボタンの操作性を向上させることができる。また、金型構成において加工も容易になり、従来では困難であった四角形状のボタン形状を実現することができ、デザインの幅が拡がりデザイン性を向上することができる。
【図面の簡単な説明】
【０００８】
【図１】本発明の実施の形態１における炊飯器の部分断面図
【図２】本発明の実施の形態１における炊飯器の要部拡大断面図
【図３】図１のＡ矢視図
【図４】図３のＢ−Ｂ断面図
【図５】従来例の炊飯器本体と要部断面図
【発明を実施するための形態】
【０００９】
第１の発明は、上面が開口した本体と、前記本体内に着脱自在に収納される鍋と、前記本体内に設けられた前記鍋を加熱する加熱手段と、前記本体を開閉自在に覆う蓋と、前記本体もしくは前記蓋の外郭は部分的に加飾を施した透明フィルム層と透明材料層を一体に形成したパネルを有し、前記パネルの操作部を構成しているボタンのエンボス形状の外周部に一段下がった段押し部を設けてからエンボス中央部を凸形状にすることにより、透明フィルム層のみのエンボス部分のたわみ量が増すことで、ボタン操作時の突っ張り感もなく、ボタンの操作性を向上することができる。
【００１０】
第２の発明は、特に、第１の発明のパネル操作部のエンボス中央部の凸部をかまぼこ形状に形成することにより、金型構成において加工も容易になり、従来では困難であった四角形状の操作ボタン形状を実現することができ、デザインの幅が拡がりデザイン性を向上することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における炊飯器の部分断面図を示すものである。図１において、炊飯器本体３０は有底筒状の鍋収納部３０ａを有し、鍋３１を着脱自在に収納する。底誘導加熱コイル３２は、鍋加熱手段を構成するもので、鍋収納部３０ａの底部に設け、鍋３１を誘導加熱して炊飯・保温を行う。底センサ−３３は、鍋３１の温度を検知し、制御部３４へ信号を送る。制御部３４は底センサ−３３の信号より、底誘導加熱コイル３２の通電量を制御し、鍋３１の加熱量を可変することで鍋３１の温度を炊飯・保温時に適温に制御するように構成している。炊飯器本体３０の上部は、炊飯器本体３０の後部のヒンジ部３９に設けたヒンジ軸４０にて軸支した開閉自在な蓋３５で覆っている。蓋３５の先端には蓋係合部４２を設けており、炊飯器本体３０の前方のフックボタン４３と閉蓋時に係合し、炊飯または保温中に蓋３５が開くのを防止している。フックボタン４３を押すと蓋係合部４２とフックボタン４３の係合が外れ、蓋３５のヒンジ部３９に設けたヒンジバネ４１の力によって蓋３５が開くように構成している。
【００１３】
図２は、本発明の実施の形態１における炊飯器の要部拡大断面図を示すものである。図２において、蓋３５の外郭は、表面に厚さ０．０５〜０．３ｍｍのポリエチレンテレフタレ−ト樹脂等でなる透明フィルム層３６ａを有し、その下層にＡＢＳ樹脂、ポリカ−ボネ−ト樹脂、アクリル樹脂などの透明材料層３６ｂを一体に形成したパネル３６で覆われている。透明フィルム層３６ａは透明材料層３６ｂ側の面に印刷や塗装、蒸着などによる加飾を部分的に施している。
【００１４】
透明材料層３６ｂの厚さは、透明フィルム層３６ａに比べて十分に肉厚の１〜３mmとなっている。このようにパネル３６は透明フィルム層３６ａと透明材料層３６ｂで一体に形成しているが、操作部３８を有する部分には、透明フィルム層３６ａのみで形成されているエンボス部３７を有し、透明材料層３６ｂの成形時に金型を凸状にし、金型に押し当てて透明フィルム層３６ａを塑性変形させることで形状を形成する。
【００１５】
そして、透明材料層３６ｂを成形する金型にエンボス外周部３７ａにパネル３６基本面より一段下がった段押し部３７ａを設けてからエンボス中央部３７ｂを凸形状に形成し、操作ボタンの操作性を向上させている。
【００１６】
図３は、図１のＡ矢視図を示すものである。図３において、パネル３６のエンボス部３７の凸形状をかまぼこ状（図４にて詳細形状記載）にすることにより、従来はコ−ナ−部に大きなＲが必要であるという制限があったコ−ナ−部のＲを小さくすることができ、四角形状を実現することができる。
【００１７】
図４は、図３のＢ−Ｂ断面図を示すものである。図４において、エンボス部３７の詳細形状は、パネル基本面より一段下がった段押し部３７ａを設けてからエンボス中央部３７ｂに向かって、かまぼこの側面のようにエンボス側面部３７ｃを形成し、エンボス中央部３７ｂを凸状に形成している。
【００１８】
以上のように構成された炊飯器について、以下その作用を説明する。まず、透明フィルム層３６ａを透明なフィルム層とし、さらに透明材料層３６ｂを一体に形成し、操作部３８を有するエンボス部３７の形状をパネル３６基本面より一段下がった段押し部３７ａを設けてからエンボス中央部３７ｂを凸状に金型を押し当ててフィルムを塑性変形させることで形状を形成する。エンボス外周部３７ａに段押し部を設けることにより、透明フィルム層のみで形成されているエンボス部分のたわみ量が増すことで操作部３８であるキ−トップの突っ張り感もなく、エンボス中央部３７ｂから操作部３８のキートップまでのキ−ストロ−クを十分に確保することができ、操作ボタンの操作性を向上することができる。
【００１９】
さらにエンボス側面部３７ｃは、段押し部３７ａからすぐに凸形状を形成するのではなく、エンボス中央部３７ｂに向かって、かまぼこの側面のようにエンボス側面部３７ｃを形成してから、エンボス中央部３７ｂを凸状に金型を押し当ててフィルムを塑性変形させることでかまぼこ形状を形成している。エンボス加工を行う金型構成において、エンボス形状のコ−ナ−部には大きなＲが必要であるという制限があり、エンボス外周形状を四角形状に加工することはできずに、デザイン性においても丸い形状しかできなかったが、エンボス部３７をかまぼこ形状にすることにより、金型構成において加工も容易になり、従来はコ−ナ−部には大きなＲが必要であるという制限があったコ−ナ−部のＲを小さくすることができ、従来では困難であった四角形状の操作ボタン形状を実現することができ、デザインの幅が拡がりデザイン性を向上することができる。
【００２０】
また、透明フィルム層３６ａと透明材料層３６ｂは、樹脂で構成されるので、従来と同様に一体成形工法を用いれば安価にデザイン性を向上させることができる。
【００２１】
また、操作部３８を有するエンボス部３７のかまぼこ形状部分の透明フィルム層３６ａに印刷や塗装、蒸着などによる加飾を施すことにより、エンボス部（操作ボタン）３７がより立体的に浮かび上がっているように見えるので、操作ボタン３７を認識し易く、使い勝手を向上することができる。
【００２２】
さらに、エンボス部３７に段押し部３７ａとかまぼこ形状形成面であるエンボス側面部３７ｃを形成したことにより、経年劣化によるパネル３６の反りや変形に伴う操作部３８のキ−トップ突き上げを低減することができる。
【００２３】
なお、本実施の形態では、蓋３５の外郭をパネル３６で覆い操作部３８を有しているが、操作部３８を炊飯器本体３０に構成し、この操作部３８を同様なパネル３６で覆うように構成してもよく、同様の効果を得ることができる。
【産業上の利用可能性】
【００２４】
以上のように、本発明にかかる炊飯器は、パネルの操作ボタンのエンボス形状の外周部を一段下げた段押し形状で囲み、エンボス形状をかまぼこ状にすることにより、操作性及びデザイン性を向上することができるので、家庭用又は業務用の炊飯器にも適用できる。
【符号の説明】
【００２５】
３０    炊飯器本体
３０ａ  鍋収納部
３１    鍋
３２    底誘導加熱コイル（加熱手段）
３３    底センサ−
３４    完成制御ユニット（制御部）
３５    蓋
３６    パネル
３６ａ  透明フィルム層
３６ｂ  透明材料層
３７    エンボス部（操作ボタン）
３７ａ  段押し部（エンボス外周部）
３７ｂ  エンボス中央部
３７ｃ  エンボス側面部
３８    操作部
３９    ヒンジ部
４０    ヒンジ軸
４１    ヒンジバネ
４２    蓋係合部
４３    フックボタン
【図１】
2014023808.tif 000003
【図２】
2014023808.tif 000004
【図３】
2014023808.tif 000005
【図４】
2014023808.tif 000006
【図５】
2014023808.tif 000007